【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
包装アセンブリであって、複数の製品と、該製品を封入しておりかつ可撓性材料の包材から形成された管状パケットとを含んでなり、該パケットは製品を取り巻いている側壁領域を有し、包材は、該側壁領域に位置した包材の開口領域を完全または部分的に取り囲む少なくとも１つの脆弱線を有し、開口領域は、該少なくとも１つの脆弱線に沿って包材を引き裂くことにより１つ以上の製品を取り出すことが可能な開口部を包材に作出するために、少なくとも部分的に取り除かれうる、包装アセンブリ。
【請求項２】
少なくとも１つの脆弱線は、該少なくとも１つの脆弱線に沿って引き裂いた後に開口領域が包材の残余部に付属したままであるように、部分的にのみ開口領域を取り囲んでいる、請求項１に記載の包装アセンブリ。
【請求項３】
少なくとも１つの脆弱線は、該少なくとも１つの脆弱線に沿って包材を引き裂くことにより開口領域が完全に取り除かれて開口部を作出するように、完全に開口領域を取り囲んでいる、請求項１に記載の包装アセンブリ。
【請求項４】
開口領域を通してパケットから製品のうちの１つを押し出すことにより開口部を作出するように、管状パケットが少なくとも１つの脆弱線に沿って破断されうる、請求項１〜３のいずれか１項に記載の包装アセンブリ。
【請求項５】
開口領域は、製品のうち１つの断面積が該開口領域と概ね平行に並んだ面において得られる場合に、該製品の断面積よりもごくわずかに大きい面積を有するような寸法を有する、請求項１〜４のいずれか１項に記載の包装アセンブリ。
【請求項６】
開口領域は、製品のうち１つの断面積の１．５倍、１．４倍、１．３倍、１．２倍または１．１倍より小さい面積を有する、請求項５に記載の包装アセンブリ。
【請求項７】
開口領域は、開口部を通して一度に１つの製品だけが取り出されうるような寸法を有する、請求項１〜６のいずれか１項に記載の包装アセンブリ。
【請求項８】
開口領域は、未開封の包装アセンブリにおいて製品のうちの１つと一直線に並ぶように位置決めされる、請求項１〜７のいずれか１項に記載の包装アセンブリ。
【請求項９】
包装アセンブリは、包材の開口領域に接着されるステッカーであって、包材の引き裂きを行うためにユーザが把持可能な引き上げタブを画成する部分を有するステッカーを含んでなる、請求項１〜３のいずれか１項に記載の包装アセンブリ。
【請求項１０】
前記引き上げタブは脆弱線の上に広がり、剥離可能かつ再密封可能な接着剤により開口領域の外側で包材に固定される、請求項９に記載の包装アセンブリ。
【請求項１１】
包装アセンブリは、包材の開口領域に接着されるステッカーであって、脆弱線の上に広がる部分であって剥離可能かつ再密封可能な接着剤により開口領域の外側で包材に固定される部分を有するステッカーを含んでなる、請求項１〜１０のいずれか１項に記載の包装アセンブリ。
【請求項１２】
パケットの側壁領域は対向する前面および後面ならびに対向する側面を有し、開口領域は、完全に側面のうちの一方に位置するか、または完全に前面および後面のうちの一方に位置する、請求項１〜１１のいずれか１項に記載の包装アセンブリ。
【請求項１３】
包装アセンブリは、包材よりも密度が高いかまたは剛性が高いかのうち少なくともいずれかである折り曲げ可能な材料から形成された外側カバーを含んでなり、該外側カバーは開位置と閉位置との間を移動可能なフラップを有し、該フラップは包材の開口領域に直接または間接的に接着せしめられて、閉位置から開位置へのフラップの最初の移動において包材が少なくとも１つの脆弱線に沿って引き裂かれてパケットに開口部を形成するようになっている、請求項１〜３のいずれか１項、または請求項１〜３のいずれか１項に従属する場合の請求項５〜８および１２のうちいずれか１項、に記載の包装アセンブリ。
【請求項１４】
カバーは、フラップを閉位置に解除可能に固定する手段を含んでなる、請求項１３に記載の包装アセンブリ。
【請求項１５】
フラップは、フラップを閉位置に保持するために、カバーの別の部分に解除可能に接着せしめられる、請求項１４に記載の包装アセンブリ。
【請求項１６】
カバーは、フラップを閉位置に解除可能に保持するために、フラップの自由端が係合するスロットおよびタブの一方を含んでなる、請求項１４に記載の包装アセンブリ。
【請求項１７】
カバーは管状パケットの側壁領域を取り巻いている、請求項１３〜１６のいずれか１項に記載の包装アセンブリ。
【請求項１８】
カバーは、管状パケットの長さの一部のみに延在するスリーブを含んでなる、請求項１７に記載の包装アセンブリ。
【請求項１９】
カバーは４枚のフェースパネルおよび１枚のフラップパネルを含んでなり、各フェースパネルはパケットの側壁領域の面のうち対応する１つに接着せしめられ、第１のフェースパネルは、パケットの開口領域が画成される面に接着せしめられ、かつ第１のフェースパネル中に対応する開口領域を画成する対応する脆弱線を有し、閉位置のフラップパネルの少なくとも一部は第１のフェースパネル上に重なり、かつ対応する開口領域に接着せしめられて、閉位置から開位置へのフラップの最初の移動が対応する脆弱線に沿って第１のフェースパネルおよび包材の両方を引き裂いてパケットに開口部を作出するようになっている、請求項１２に従属する場合の請求項１３〜１８のいずれか１項に記載の包装アセンブリ。
【請求項２０】
開口領域は側壁領域の面のうち第１の面に画成され、かつカバーは側壁領域の他の３つの面のうち対応する１つに各々接着せしめられる３枚のフェースパネルを有し、フラップパネルの少なくとも一部は閉位置において包材の第１の面に直接重なりかつ開口領域に接着せしめられて、閉位置から開位置へのフラップの最初の移動時に包材が脆弱線に沿って引き裂かれてパケットに開口部を作出するようになっている、請求項１２に従属する場合の請求項１３〜１８のいずれか１項に記載の包装アセンブリ。
【請求項２１】
包装アセンブリは、包材よりも密度が高いかまたは剛性が高いかのうち少なくともいずれかである折り曲げ可能な材料から形成された外側カバーを含んでなり、該カバーはパケットの側壁領域を包囲しかつ一端が開放端であるスリーブを画成し、パケットは該カバー内を摺動可能であって、パケットの少なくとも端部領域が前記一端においてカバーから抜き出されることが可能となっており、包材の開口領域は少なくとも部分的にはパケットの前記端部領域内に画成され、開口領域内の包材はカバーの内側表面に接合されて、端部領域がカバーから最初に抜き出されるときに包材が少なくとも１つの脆弱線に沿って引き裂かれてパケットの端部領域に開口部を生じるようになっている、請求項１〜３のいずれか１項、または請求項１〜３のいずれか１項に従属する場合の請求項５〜８および１２のうちいずれか１項、に記載の包装アセンブリ。
【請求項２２】
カバーの前記一端の対向端部に、スロットであって、パケットの端部領域を前記一端から抜き出すためにユーザが該スロットを通してパケットに接触しうるスロット、が画成されている、請求項２１に記載の包装アセンブリ。
【請求項２３】
カバーは、厚紙、板紙、またはポリマー材料のような折り曲げ可能な材料の半加工品から作製される、請求項１３〜２２のいずれか１項に記載の包装アセンブリ。
【請求項２４】
請求項４に記載の包装アセンブリを開封する方法であって、開口領域を通してパケットから製品のうち１つを押し出すことにより、少なくとも１つの脆弱線に沿ってパケットを破断させることを含んでなる方法。
【手続補正２】
【補正対象書類名】明細書
【補正対象項目名】発明の名称
【補正方法】変更
【補正の内容】
【発明の名称】包装アセンブリおよび該包装アセンブリを開封する方法